(57)【要約】【課題】１個のケースに互いに異なるタイプの接続端子が実装されているにもかかわらず、厚さが最小である、携帯端末用の接続ソケットを提供する。【解決手段】携帯端末用の接続ソケット（１０）は、ケース（１１）内で一平面上の異なる位置に配置されると共に接続プラグに実装されたプラグ接続端子に接続される複数の互いに異なるタイプの接続端子（２０，３０）を具備する。プラグ接続端子に接続される複数の接続端子（２０，３０）の一部は、互いに異なる位置に配置されている。複数の接続端子（２０，３０）は、互いに異なる位置に配置されている。【選択図】図２
2013115823.tif 000002
【特許請求の範囲】
【請求項１】
携帯端末用の接続ソケットであって、
ケース内で一平面上の異なる位置に配置され、接続プラグに実装されたプラグ接続端子に接続される複数の接続端子を具備し、
前記プラグ接続端子に接続される前記複数の接続端子の一部は、互いに異なる位置に配置されていることを特徴とする接続ソケット。
【請求項２】
前記複数の接続端子は、互いに異なる長さを有することを特徴とする請求項１記載の接続ソケット。
【請求項３】
前記ケースは、前記接続端子の長さに対応して形成された実装ケースを具備することを特徴とする請求項２記載の接続ソケット。
【請求項４】
前記ケースは、前記実装ケースと、該実装ケースを取り囲むことにより前記接続端子を保護するよう構成されたカバーケースとを具備することを特徴とする請求項３記載の接続ソケット。
【請求項５】
前記接続端子の長さに対応して形成された第１及び第２の実装部、並びに該第１及び第２の実装部に対して延長された第３実装部を有する実装ケースと、
前記実装ケースを包囲することにより前記接続端子を保護すると共に前記第３実装部により前記実装ケースを固定するよう構成されたカバーケースと
を具備することを特徴とする請求項２記載の接続ソケット。
【請求項６】
前記カバーケースは、前記実装ケースに挿入される前記カバーケースの両側を切断し、内側へ曲げることにより形成されるケース固定突起を具備し、
前記第３実装部は、前記ケース固定突起の挿入用のケース固定凹部を具備することを特徴とする請求項５記載の接続ソケット。
【請求項７】
前記第１接続端子は前記第１実装部に実装され、
前記第２接続端子は前記第２実装部に実装され、
前記第１接続端子は前記第２接続端子より短く形成されることを特徴とする請求項５記載の接続ソケット。
【請求項８】
前記第１接続端子は、前記第２接続端子の両側に配置されることを特徴とする請求項７記載の接続ソケット。
【請求項９】
前記実装ケースは、前記第１接続端子及び前記第２接続端子のうちの一方の間に突出するリブを有することを特徴とする請求項７記載の接続ソケット。
【請求項１０】
前記第２実装部は、前記第２接続端子の上面を覆うために、前記第１接続端子と同じ長さで前記第２接続端子の前記上面に延びるカバーリブを具備することを特徴とする請求項７記載の接続ソケット。
【請求項１１】
前記実装ケースは、前記接続プラグの挿入位置を案内するために上内面から下方へと突出する挿入防止突起を具備することを特徴とする請求項５記載の接続ソケット。
【請求項１２】
前記実装ケースは、前記複数の接続端子が前記実装ケースに実装されるようにインサート成形されることを特徴とする請求項５記載の接続ソケット。
【請求項１３】
前記接続ソケットは、前記複数の接続端子に接続される前記プラグ接続端子が一平面上に配置された接続プラグと係合することを特徴とする請求項１記載の接続ソケット。
【発明の詳細な説明】
【技術分野】
【０００１】
本発明は、携帯端末用の接続ソケットに関し、より具体的には、少なくとも２タイプの接続端子が２タイプの接続プラグに接続されると共に同一平面上に配置される結果、全体の厚さが小さくなる、携帯端末用の接続ソケットに関する。
【背景技術】
【０００２】
一般に、携帯端末は、音声通話のみならず、映像通信、情報の入出力、データ保存、インタネット接続等をも含む機能を具備する。
【０００３】
最近、このような機能はより多様化し、様々なコンテンツが携帯端末を通して応用されている。従って、携帯端末は、通話のみならず、個人情報、クレジットの支払い、写真やビデオの撮影、音楽やビデオの再生、ゲーム、放送受信等をも含む複雑な機能を具備する。また、これらの機能を結合することにより、マルチメディアデバイスを実施することができる。
【０００４】
様々な追加機能のため、携帯端末は、必要なソケットに対応する様々なタイプの接続モジュールを具備する。ソケット及び接続モジュールは、ユーザが必要とする携帯通信端子の入出力データを取るためのユニバーサル・シリアル・バス（ＵＳＢ）ポートと、イヤホン、リモートコントローラ、テレビ等の信号を接続する入力及び出力デバイスの接続のための入出力ポートとを有する。
【０００５】
図７を参照すると、従来の携帯端末用の接続モジュールが示される。単一ソケットとの様々なタイプの入出力ポートを接続するために、異なるタイプの接続端子３，４が互いに干渉することなくソケットに接続するよう、ケース１に段２が形成されている。接続端子３，４は、２タイプのプラグに接続するよう、段２の上部及び下部に分離して交互に配列される。
【０００６】
さらに、互いに異なる接続端子３，４の一方、例えば接続端子３は、ソケットに挿入されるプラグのプラグ接続端子と接続しながら上下動する可動端子である。
【０００７】
よって、プラグがソケットに挿入される際に、プラグの接続端子は、段２に対してケース１の上部に配置された接続端子４、又は下部に配置された接続端子３に接続される。従って、一方のプラグは上部に配置された接続端子４に接続されるのに対し、他方のプラグは下部に配置された接続端子３に接続される。
【先行技術文献】
【特許文献】
【０００８】
【特許文献１】特開２００８−３０１４９２号公報
【発明の概要】
【発明が解決しようとする課題】
【０００９】
上述した従来の接続モジュールは、異なる機能を有する様々なプラグと接続するためのソケットを実施するよう設計されている。しかし、異なるタイプの接続端子は１個のケース内で段の上部及び下部に分離して配列されているので、近年の傾向に従って薄型の携帯端末を製造することが困難になる。
【００１０】
さらに、ソケットの一方の接続端子が可動端子であるので、可動端子は、別の端子がケースにインサート成形された後で組み込まれる必要がある。従って、ソケットの製造が複雑になる。
【００１１】
特に、インサート成形後に可動端子が組み込まれると、製造が複雑になるばかりでなく、可動端子の組込み中に生ずる組立不良のために、製品の信頼性も低下する。
【００１２】
従って、本発明の目的は、１個のケースに互いに異なるタイプの接続端子が実装されているにもかかわらず、厚さが最小である、携帯端末用の接続ソケットを提供することである。
【００１３】
本発明の別の目的は、一平面上に互いに異なるタイプの接続端子を配列することである。
【００１４】
本発明のさらに別の目的は、一平面上に配列された互いに異なるタイプの接続端子が互いに干渉しないことである。
【００１５】
本発明の別の目的は、製品の製造方法を簡単にすることである。
【課題を解決するための手段】
【００１６】
本発明の一側面によれば、携帯端末用の接続ソケットが提供される。接続ソケットは、ケース内で一平面上の異なる位置に配置されると共に接続プラグに実装されたプラグ接続端子に接続される複数の互いに異なるタイプの接続端子を具備する。プラグ接続端子に接続される複数の接続端子の一部は、互いに異なる位置に配置されている。
【００１７】
複数の接続端子は、互いに異なる長さを有する。
【００１８】
ケースは、接続端子の長さに対応して形成された第１及び第２の実装部、並びに第１及び第２の実装部に対して延長された第３実装部を有する実装ケースと、実装ケースを包囲することにより接続端子を保護すると共に第３実装部により実装ケースを固定するよう構成されたカバーケースとを具備する。
【００１９】
カバーケースは、実装ケースに挿入されるカバーケースの両側を切断し、内側へ曲げることにより形成されるケース固定突起を有する。第３実装部は、ケース固定突起の挿入用のケース固定凹部を有する。
【００２０】
ここで、第１接続端子は第１実装部に実装され、第２接続端子は第２実装部に実装され、第１接続端子は第２接続端子より短く形成される。
【００２１】
第１接続端子は、第２接続端子の両側に配置される。
【００２２】
実装ケースは、第１接続端子及び第２接続端子のうちの一方の間に突出するリブを有する。
【００２３】
第２実装部は、第２接続端子の上面を覆うために、第１接続端子と同じ長さで第２接続端子の上面に延びるカバーリブを有する。
【００２４】
実装ケースは、接続プラグの挿入位置を案内するために上内面から下方へと突出する挿入防止突起を有する。
【００２５】
実装ケースは、複数の接続端子が実装ケースに実装されるようにインサート成形される。
【００２６】
接続ソケットは、複数の接続端子に接続されるプラグ接続端子が一平面上に配置された接続プラグと係合する。
【００２７】
本発明の他の側面、特徴及び利点は、添付図面と併せて典型的な実施形態の以下の説明から明白であり、容易に理解されるであろう。
【図面の簡単な説明】
【００２８】
【図１】本発明に係る携帯端末用の接続ソケットにプラグを挿入する状態を示す斜視図である。
【図２】本発明に係る携帯端末用の接続ソケットを示す分解断面図である。
【図３】本発明の一実施形態に係る携帯端末用の接続ソケットを示し、（Ａ）斜視図、（Ｂ）平面図、（Ｃ）（Ｂ）のＡ−Ａ線断面図である。
【図４】本発明の別の実施形態に係る携帯端末用の接続ソケットを示し、（Ａ）斜視図、（Ｂ）平面図である。
【図５】本発明に係る携帯端末用の接続ソケットのケース及び実装ケースの結合関係を示す斜視図である。
【図６】本発明に係る携帯端末用の接続ソケットと接続プラグとの様々な結合状態を示す断面図である。
【図７】従来技術に係る携帯端末用の接続モジュールを示す斜視図である。
【発明を実施するための形態】
【００２９】
以下、図面を参照して、本発明の典型的な複数の実施形態に係る携帯端末用のカード実装ソケットについて詳細に説明する。ここで、本明細書を通して、同じ要素には同じ参照符号が付される。
【００３０】
図１は、本発明に係る携帯端末用の接続ソケット１０にプラグを挿入する状態を示す斜視図である。図２は、本発明に係る接続ソケット１０の分解斜視図である。
【００３１】
これらの図面に示されるように、接続ソケット１０は、回路基板Ｃに固定されると共に回路基板Ｃに電気接続される。接続ソケット１０は、接続プラグＰの信号を伝送するよう、接続プラグＰの挿入の際に接続プラグＰに接続される接続端子を具備する。ここで、接続端子はケース１１に実装されており、様々なタイプの接続プラグＰが１個の接続ソケット１０に接続されるように、様々なタイプがある。
【００３２】
ケース１１は、回路基板Ｃに形成された挿入孔Ｃ１に挿入されるよう下方へ突出する接続片１１ａを有する。
【００３３】
図２を参照すると、ケース１１は、カバーケース１４と、互いに異なるタイプである第１接続端子２０及び第２接続端子３０を実装するようカバーケース１４に固定される実装ケース１５とを具備する。
【００３４】
カバーケース１４は、接続プラグＰを挿入するための一側を有し、実装ケース１５の外側を包囲し保護する矩形の箱状である。
【００３５】
接続片１１ａは、カバーケース１４の両側面から垂直方向に延びるようカバーケース１４の底面の一部を切断することにより形成される。
【００３６】
実装ケース１５は、第１接続端子２０及び第２接続端子３０をインサート成形することにより形成され、第１接続端子２０を実装する第１実装部１５ａ、第２接続端子３０を実装する第２実装部１５ｂ、並びに第１実装部１５ａ及び第２実装部１５ｂをカバーケース１４に固定する第３実装部１５ｃを有する。
【００３７】
第１実装部１５ａ及び第２実装部１５ｂは、第１接続端子２０及び第２接続端子３０が一平面上に実装されるように、一平面を形成する。第１実装部１５ａ及び第２実装部１５ｂは、第１接続端子２０及び第２接続端子３０が挿入されるように、それぞれ第１挿入溝１６ａ及び第２挿入溝１６ｂを有する。
【００３８】
ここで、第１接続端子２０及び第２接続端子３０は、互いに異なるタイプであり、異なる長さを有する。
【００３９】
詳細には、第１接続端子２０及び第２接続端子３０は一平面上に配置され、この結果、第１接続端子２０及び第２接続端子３０の端部は、それら接続端子のタイプに従って異なる位置に配置される。従って、第１接続端子２０及び第２接続端子３０は、互いに干渉することなく、プラグ接続端子Ｐ２，Ｐ３に接続できる。
【００４０】
例えば、第１接続端子２０は相対的に短いのに対し、第２接続端子３０は相対的に長い。第１接続端子２０は実装ケース１５の両側に配置されるのに対し、第２接続端子３０は両側の第１接続端子２０の間に配置される。
【００４１】
この場合、相対的に長い第２接続端子３０の端部は、接続プラグＰが接続ソケット１０に挿入される位置である挿入端側に配置される。相対的に短い第１接続端子２０の端部は、接続ソケット１０の内方に配置される。
【００４２】
すなわち、接続ソケット１０の前側とは接続プラグＰの挿入が始まる側を指し、後側とは挿入された接続プラグＰが接続ソケット１０に接続される側を指す場合、相対的に長い第２接続端子３０は接続ソケット１０の前側に配置され、相対的に短い第１接続端子２０は接続ソケット１０の後側に配置される。
【００４３】
従って、第１接続端子２０を実装する第１実装部１５ａは、第１接続端子２０の長さに対応して短く形成される。第２接続端子３０を実装する第２実装部１５ｂは、第２接続端子３０の長さに対応して長く形成される。
【００４４】
ここで、異なる長さを有する第１接続端子２０及び第２接続端子３０を交換してもよい。
【００４５】
第３実装部１５ｃは、第１接続端子２０及び第２接続端子３０をそれぞれ実装する第１実装部１５ａ及び第２実装部１５ｂから一体的に延び、カバーケース１４に固定される。
【００４６】
カバーケース１４は、実装ケース１５すなわち第３実装部１５ｃに挿入されるようカバーケース１４の両側を切断し内方へ曲げることにより形成される固定突起１２ｂを有する。第３実装部１５ｃは、ケース固定突起１２ｂの挿入のためのケース固定凹部１３ｂを有する。
【００４７】
従って、第１接続端子２０及び第２接続端子３０が実装ケース１５の前側及び後側から接続プラグＰのプラグ接続端子Ｐ２，Ｐ３に接続されるので、第１接続端子２０及び第２接続端子３０が一平面上に配置されても、第１接続端子２０及び第２接続端子３０の干渉は防止される。また、接続ソケット１０の厚さは最小になる。
【００４８】
さらに、接続プラグＰは、第１実装部１５ａに実装された第１接続端子２０と接続することにより、又は第１接続端子２０及び第２接続端子３０の全てと接続することにより、様々なタイプの接続プラグＰとして接続ソケット１０に接続される。
【００４９】
ここで、接続プラグＰは、ユニバーサル・シリアル・バス（ＵＳＢ）ポートプラグであってもよいし、入出力データプラグであってもよい。
【００５０】
図３は、本発明の一実施形態に係る携帯端末用の接続ソケットを示す図である。図４は、本発明の別の実施形態に係る携帯端末用の接続ソケットを示す図である。
【００５１】
接続端子が端子実装凹部１６ａ，１６ｂから逃げるのを防止し互いに干渉することを防止するための実施形態によれば、実装ケース１５は、第１接続端子２０及び第２接続端子３０のうちの一方の間で下方へ突出するリブを有する。これにより、接続端子２０，３０の短絡が防止される。
【００５２】
特に、図３（Ｂ）のＡ−Ａ線に沿って断面したリブ１８の断面図である図３（Ｃ）を参照すると、リブ１８は、接続端子より高くなるように複数の接続端子間で突出する。従って、接続プラグＰが接続ソケット１０に挿入される際に、リブ１８は、各プラグ接続端子と接続されるよう各接続端子を案内すると共に、接続端子が端子実装凹部１６ａ，１６ｂから逃げるのを防止し互いに干渉することを防止する。
【００５３】
別の実施形態を示す図４を参照すると、リブ１８は、接続端子に沿って比較的長い接続端子すなわち第２接続端子３０の上面を覆うカバーリブ１９を具備する。カバーリブ１９は、リブ１８に対して延長されている。カバーリブ１９は、第１接続端子２０と同じ長さを有してもよい。
【００５４】
カバーリブ１９は、接続端子２０，３０の導電性を増大させ且つ接続端子２０，３０の酸化を最小にするためのめっきのコストを低減するために設けられる。プラグ接続端子に接続される接続端子２０，３０の一部のみがめっきされ、残余部分は外部に露出していない。それ故、酸化が防止される。
【００５５】
従って、カバーリブ１９が接続ソケット１０の接続端子のめっきを最小にするので、製造コストが低減する。
【００５６】
図５は、本発明に係る携帯端末用の接続ソケット１０のケース及び実装ケース１５の結合関係を示す斜視図である。
【００５７】
この図を参照すると、第１接続端子２０及び第２接続端子３０を実装する実装ケース１５は、カバーケース１４に固定されるために、上面に形成された上面ケース固定凹部１３ａと、両面に形成されたケース固定凹部１３ｂとを有する。カバーケース１４のケース固定突起１２ｂは、ケース固定凹部１３ｂに挿入される。
【００５８】
カバーケース１４は、その上面を切断しその切断部をカバーケース１４へ曲げることによりカバーケース１４の上面に形成された上面ケース固定突起１２ａを有する。この結果、切断部は、上面ケース固定凹部１３ａに挿入される。
【００５９】
さらに、カバーケース１４は、接続ソケット１０に接続プラグＰを挿入するために適正な位置を案内するように内方へ突出する挿入防止突起１２ｃを有する。
【００６０】
挿入防止突起１２ｃは、接続プラグＰと接触するよう構成されると共に、接続プラグＰのケース１１内への過度の挿入、接続端子間の干渉及び接続端子の破損を防止するよう構成された停止部である。
【００６１】
ここで、挿入防止突起１２ｃは、プラグ接続端子並びに第１及び第２接続端子２０，３０が干渉することなく互いに接続できる距離だけ、接続プラグＰが接続ソケット１０内の適正位置に挿入できるように、接続ソケット１０に形成されてもよい。さらに、挿入防止突起１２ｃに接触しない程度、すなわち接続ソケット１０内に十分に挿入されない程度まで接続プラグＰの挿入される際に生ずる接続不良を防止する。ケース１１は、挿入される接続プラグＰと結合するためのプラグ結合穴１２ｄをさらに有する。
【００６２】
従って、第１接続端子２０及び第２接続端子３０がインサート成形される実装ケース１５がカバーケース１４の後側に挿入されると、カバーケース１４の上面に形成された上面ケース固定突起１２ａは上面ケース固定凹部１３ａに挿入される。さらに、カバーケース１４の両側に形成されたケース固定突起１２ｂは、実装ケース１５のケース固定凹部１３ｂに挿入され、カバーケース１４に固定される。従って、接続ソケット１０が構成される。
【００６３】
図６は、本発明に係る携帯端末用の接続ソケットと接続プラグとの様々な結合状態を示す断面図である。
【００６４】
以下、本発明に係る接続ソケットへの接続プラグＰの接続方法、及び接続された状態について、図面を参照して詳細に説明する。
【００６５】
接続プラグＰは、回路基板Ｃに実装された接続ソケット１０に挿入される。
【００６６】
従って、図６（Ａ）に示されるように、接続プラグＰのプラグ結合突起Ｐ１は、ケース１１に形成されたプラグ結合穴１２ｄに挿入される。これにより、接続ソケット１０からの接続プラグＰの不要な逃げが防止される。
【００６７】
さらに、図６（Ｂ）に示されるように、第１接続端子２０は、接続プラグＰに実装された第１プラグ接続端子Ｐ２に結合される。ここで、第１接続端子２０は第２接続端子３０より短いので、第１プラグ接続端子Ｐ２は、ケース１１の内側で第１接続端子２０に接続される。
【００６８】
図６（Ｃ）を参照すると、第２接続端子３０は、接続プラグＰに実装された第２プラグ接続端子Ｐ３に接続される。第２接続端子３０は相対的に長いので、第２プラグ接続端子Ｐ３は、ケース１１の挿入端側で第２接続端子３０に接続される。
【００６９】
ここで、リブ１８及びカバーリブ１９は、第１接続端子２０及び第２接続端子３０を実装ケース１５から分離することを防止する。また、リブ１８及びカバーリブ１９は、第１及び第２の接続端子２０，３０並びに第１及び第２のプラグ接続端子Ｐ２，Ｐ３の干渉を防止する。
【００７０】
従って、接続プラグＰが接続ソケット１０に挿入されると、第１及び第２の接続端子２０，３０は一平面上に配置され、接続プラグＰの第１及び第２の接続端子Ｐ３，Ｐ４は互いに干渉することなく異なる位置で安定して接続される。
【００７１】
このため、異なるタイプの接続端子が実装され、一平面上の異なる２個の接続プラグに接続される場合であっても、本発明に係る接続ソケット１０は低背で製造することができる。
【００７２】
本発明の二三の典型的な実施形態を図示し説明したが、本発明は上述した典型的な実施形態に限定されない。代わりに、当業者であれば、本発明の原理及び真髄から逸脱することなく、典型的な実施形態を変形することが可能であることを理解するであろう。本発明の範囲は、特許請求の範囲及びその等価物で定義される。
【符号の説明】
【００７３】
１０    接続ソケット
１１    ケース
１２ｂ  ケース固定突起
１２ｃ  挿入防止突起
１３ｂ  ケース固定凹部
１４    カバーケース
１５    実装ケース
１５ａ    第１実装部
１５ｂ    第２実装部
１５ｃ    第３実装部
１８    リブ
１９    カバーリブ
２０    第１接続端子
３０    第２接続端子
Ｐ      接続プラグ
Ｐ２    プラグ接続端子
Ｐ３    プラグ接続端子
【図１】
2013115823.tif 000003
【図２】
2013115823.tif 000004
【図３】
2013115823.tif 000005
【図４】
2013115823.tif 000006
【図５】
2013115823.tif 000007
【図６】
2013115823.tif 000008
【図７】
2013115823.tif 000009